(57)【要約】【課題】  画像データ供給装置および記録装置の構成の複雑化、製造効率の悪化、および高価格化を抑えた上、画像データ供給装置から記録装置に対して、画像の記録処理以外の特定処理の実行を簡易に指示可能とすること。【解決手段】  プリンタ１０００の特定処理に対応付けた特定画像データをデジタルカメラ３０１２からプリンタ１０００に供給することにより、その特定処理をプリンタ１０００に実行させる。【選択図】  図２
2005313571.tif 000002
【特許請求の範囲】
【請求項１】
画像データ供給装置から記録装置に画像データを供給し、前記記録装置が前記画像データに基づいて画像を被記録媒体に記録可能な画像記録システムにおいて、
前記画像データ供給装置は、前記画像データとして、前記記録装置による特定処理に対応付けられた特定画像データを前記記録装置に供給可能であり、
前記記録装置は、前記画像データ供給装置から前記特定画像データが供給されたときに、前記特定画像データに対応付けられた前記特定処理を実施可能である
ことを特徴とする画像記録システム。
【請求項２】
前記画像データ供給装置は、前記特定画像データを含む前記画像データを表示可能な表示手段を備えることを特徴とする請求項１に記載の画像記録システム。
【請求項３】
前記特定画像データは、前記表示手段に前記特定処理の内容を表示する画像データであることを特徴とする請求項２に記載の画像記録システム。
【請求項４】
前記記録装置は、前記画像データ供給装置から供給される前記画像データが前記特定画像データであるか否かを識別する識別手段と、前記画像データ供給装置から供給された画像データが前記特定画像データであると前記識別手段が判定したときに、前記特定画像データは記録せずに前記特定処理を実施する制御手段と、を備えることを特徴とする請求項１から３のいずれかに記載の画像記録システム。
【請求項５】
前記特定画像データは、ＪＰＥＧ，ＴＩＦＦ，ＢＭＰなどの汎用の画像データフォーマットに準拠したものであることを特徴とする請求項１から４のいずれかに記載の画像記録システム。
【請求項６】
前記特定処理は、前記記録装置の記録性能を維持するためのメンテナンス処理、および前記記録装置の記録条件を設定するための記録条件設定処理の内の少なくとも一方を含むことを特徴とする請求項１から５のいずれかに記載の画像記録システム。
【請求項７】
前記記録装置は、インク吐出口からインクを吐出可能な記録ヘッドを用いて画像を記録するインクジェット記録装置であり、
前記特定処理は、前記記録ヘッドから画像の記録に寄与しないインクを排出する処理、および前記インク吐出口が形成される前記記録ヘッドの吐出口形成面をワイピングする処理の内の少なくとも一方を含む
ことを特徴とする請求項１から６のいずれかに記載の画像記録システム。
【請求項８】
前記記録装置は、インクを吐出可能な記録ヘッドを用いて画像を記録するインクジェット記録装置であり、
前記特定処理は、前記記録ヘッドからのインクの吐出タイミングを調整するための処理、記録画像のレイアウトを設定するための処理、および前記記録媒体の種類に応じて記録条件を設定するための処理の内の少なくとも１つを含む
ことを特徴とする請求項１から７のいずれかに記載の画像記録システム。
【請求項９】
前記記録ヘッドからのインクの吐出タイミングを調整するための処理は、インクの吐出タイミング調整用のテストパターンを前記記録ヘッドによって記録させる処理を含むことを特徴とする請求項８に記載の画像記録システム。
【請求項１０】
前記画像データ供給装置はデジタルスティルカメラであることを特徴とする請求項１から９のいずれかに記載の画像記録システム。
【請求項１１】
前記画像データ供給装置は携帯電話であることを特徴とする請求項１から９のいずれかに記載の画像記録システム。
【請求項１２】
前記画像データ供給装置と前記記録装置は通信線によって接続され、
前記画像データ供給装置は、前記特定画像データを含む前記画像データを前記通信線を通して送信するデータ送信手段を備え、
前記記録装置は、前記データ送信手段から前記通信線を通して送信される前記画像データを受信するデータ受信手段を備える
ことを特徴とする請求項１から１１のいずれかに記載の画像記録システム。
【請求項１３】
前記データ送信手段と前記データ受信手段との間の通信方式は、ＵＳＢ仕様に準拠するシリアル通信方式であることを特徴とする請求項１２に記載の画像記録システム。
【請求項１４】
前記画像データ供給装置は、前記特定画像データを含む前記画像データを無線伝送方式により送信するデータ送信手段を備え、
前記記録装置は、前記データ送信手段から無線伝送方式により送信される前記画像データを受信するデータ受信手段を備える
ことを特徴とする請求項１から１１のいずれかに記載の画像記録システム。
【請求項１５】
前記無線伝送方式は、赤外線を用いる伝送方式であることを特徴とする請求項１４に記載の画像記録システム。
【請求項１６】
画像データに基づいて画像を被記録媒体に記録可能な記録装置に対して、前記画像データを供給する画像データ供給装置において、
前記記録装置は、前記画像データとして特定画像データが供給されたときに、該特定画像データに対応付けられた特定処理を実施可能であり、
前記画像データ供給装置は、前記画像データとして前記特定画像データを前記記録装置に供給可能である
ことを特徴とする画像データ供給装置。
【請求項１７】
画像データ供給装置から供給された画像データに基づいて画像を被記録媒体に記録可能な記録装置において、
前記画像データ供給装置は、前記画像データとして、前記記録装置による特定処理に対応付けられた特定画像データを前記記録装置に供給可能であり、
前記記録装置は、前記画像データとして前記特定画像データが供給されたときに前記特定処理を実施可能である
ことを特徴とする記録装置。
【発明の詳細な説明】
【技術分野】
【０００１】
本発明は、ケーブルなどを用いた有線方式や赤外線などを用いた無線方式等の種々の通信方式を利用して、デジタルカメラや携帯電話などの画像データ供給装置から記録装置に画像データを供給することにより、その記録装置において画像を記録することが可能な画像記録システム、画像データ供給装置、および記録装置に関するものである。
【背景技術】
【０００２】
近年、簡単な操作で画像を撮影して、その画像データをデジタル画像データに変換することができるデジタルカメラ（撮像装置）やデジタルカメラ機能付携帯電話等、所謂、デジカメが広く使用されるようになってきている。このようなカメラで撮影した画像を記録して、それを写真として使用する場合には、通常、その撮影されたデジタル画像データをデジタルカメラからＰＣ（パーソナルコンピュータ）に取り込み、そのＰＣで画像処理を行った後、そのＰＣからカラープリンタなどの記録装置に出力することによって画像を記録している。
【０００３】
一方、最近においては、ＰＣを介することなく、デジタルカメラや携帯電話と記録装置とがケーブルや赤外線等を用いた手段によって直接通信して、画像を転送するダイレクト記録システム（フォトダイレクト記録システム）が開発されている。このようなダイレクト記録システムでは、デジタルカメラや携帯電話で撮影した画像を直接記録装置に転送して記録することができる。例えば、特許文献１には、ＰＣカードを装着可能なスロットと、デジタルカメラを接続可能なコネクタとを備えたプリンタに関して、ＰＣカード内に保存されている画像や、デジタルカメラで撮影されて保存されている画像をプリント可能な構成が開示されている。
【０００４】
このようなダイレクト記録システムにおいては、一般に、次のような手順（１）から（４）によって、デジタルカメラや携帯電話から記録装置に画像データが転送される。
【０００５】
（１）デジタルカメラや携帯電話と記録装置とをケーブルで接続する（赤外線通信を用いる場合には、発光部と受光部とを向かい合わせる）。
（２）デジタルカメラや携帯電話の液晶ディスプレイに、記録したい画像を表示させる。
（３）特定のキーを操作して、表示されている画像データを記録装置に転送する。
（４）受信した画像データに基づいて、記録装置が用紙（被記録媒体）に画像を記録する。
【０００６】
【特許文献１】特開２００３−１０３８８３号公報
【発明の開示】
【発明が解決しようとする課題】
【０００７】
記録装置の良好な記録性能を維持するためには、適切なタイミングで記録装置のメンテナンス処理を実施しなければならない場合がある。例えば、インクを吐出可能な記録ヘッドを用いて用紙に記録を行うインクジェット記録装置の場合には、記録ヘッドにおけるインクの吐出性能を維持するために、画像の記録に寄与しないインクを記録ヘッドのインク吐出口から排出等の回復処理を実施する必要がある。また、様々なサイズや種類の用紙（被記録媒体）に対して記録が可能な記録装置においては、用紙の種類などに応じて記録条件を設定する必要がある。
【０００８】
しかし、従来のダイレクト記録システムにおいて、デジタルカメラや携帯電話から、このようなメンテナンス処理の実行指示や記録条件の設定などを行おうとした場合には、次のような不具合が生じる。すなわち、デジタルカメラや携帯電話に対して、画像データを記録装置に転送する機能の他に、メンテナンス処理の内容、および記録条件設定のための用紙の種類などをユーザに選択させて、それに対応するコマンドを記録装置に送信するための機能を付加しなければならない。そのため、デジタルカメラや携帯電話の構成の複雑化、製造効率の悪化、および高価格化を招くおそれがある。また、そのような機能を記録装置側にもたせるように、操作スイッチや設定情報の表示手段を記録装置に付加した場合には、その記録装置の構成の複雑化、製造効率の悪化、および高価格化を招くおそれがある。
【０００９】
本発明の目的は、画像データ供給装置および記録装置の構成の複雑化、製造効率の悪化、および高価格化を抑えた上、画像データ供給装置から記録装置に対して、画像の記録処理以外の特定処理の実行を簡易に指示することができる画像記録システム、画像データ供給装置、および記録装置を提供することにある。
【課題を解決するための手段】
【００１０】
本発明の画像記録システムは、画像データ供給装置から記録装置に画像データを供給し、前記記録装置が前記画像データに基づいて画像を被記録媒体に記録可能な画像記録システムにおいて、前記画像データ供給装置は、前記画像データとして、前記記録装置による特定処理に対応付けられた特定画像データを前記記録装置に供給可能であり、前記記録装置は、前記画像データ供給装置から前記特定画像データが供給されたときに、前記特定画像データに対応付けられた前記特定処理を実施可能であることを特徴とする。
【００１１】
本発明の画像データ供給装置は、画像データに基づいて画像を被記録媒体に記録可能な記録装置に対して、前記画像データを供給する画像データ供給装置において、前記記録装置は、前記画像データとして特定画像データが供給されたときに、該特定画像データに対応付けられた特定処理を実施可能であり、前記画像データ供給装置は、前記画像データとして前記特定画像データを前記記録装置に供給可能であることを特徴とする。
【００１２】
本発明の記録装置は、画像データ供給装置から供給された画像データに基づいて画像を被記録媒体に記録可能な記録装置において、前記画像データ供給装置は、前記画像データとして、前記記録装置による特定処理に対応付けられた特定画像データを前記記録装置に供給可能であり、前記記録装置は、前記画像データとして前記特定画像データが供給されたときに前記特定処理を実施可能であることを特徴とする。
【発明の効果】
【００１３】
本発明によれば、記録装置の特定処理に対応付けた特定画像データを画像データ供給装置から記録装置に供給することにより、その特定処理を記録装置に実行させることができる。したがって、デジタルカメラや携帯電話などを含む画像データ供給装置から記録装置に対して、画像の記録処理以外の特定処理（例えば、記録装置のメンテナンス処理や記録条件の設定処理など）の実行を簡易に指示することができる。しかも、画像データ供給装置から記録装置に画像データを供給する機能を有効利用するため、画像データ供給装置および記録装置の構成の複雑化、製造効率の悪化、および高価格化を抑えることができる。
【発明を実施するための最良の形態】
【００１４】
以下、添付図面を参照して本発明の好適な実施形態を詳細に説明する。
【００１５】
（第１の実施形態）
図１は、フォトダイレクト（ＰＤ）方式の記録装置（フォトダイレクトプリンタ）１０００の概観斜視図である。このフォトダイレクトプリンタ１０００は、画像データ供給手段から供給された画像データに基づいて画像を記録するものであり、ＰＣ（パーソナルコンピュータ）形態などのホストコンピュータ（ホスト装置）から画像データを受信して記録する通常のＰＣプリンタとしての機能と、デジタルカメラや携帯電話から画像データを直接受信して記録する機能とを備えている。
【００１６】
図１において、本例のフォトダイレクトプリンタ１０００の本体は、外装部材として、下ケース１００１、上ケース１００２、アクセスカバー１００３、および排出トレイ１００４を有している。下ケース１００１は本体の略下半部を形成し、また上ケース１００２は本体の略上半部を形成しており、両ケース１００１，１００２の組合せによって、後述する各機構の収納空間を形成する中空体が構成されている。その中空体構造の上面部および前面部には、それぞれ開口部が形成されている。排出トレイ１００４は、その一端部が下ケース１００１に回転自在に保持され、その回転によって、下ケース１００１の前面部に形成されている開口部を開閉するようになっている。記録動作を実行させる際には、排出トレイ１００４を前面側へ回転させて、開口部を開成することにより、その開口部から記録シート（被記録媒体）が排出されて、それが順次積載されることになる。また、排紙トレイ１００４には、２枚の補助トレイ１００４ａ，１００４ｂが収納されており、必要に応じて各トレイ１００４ａ，１００４ｂを手前に引き出すことにより、記録シートの支持する面積が３段階に拡大、縮小できるようになっている。
【００１７】
アクセスカバー１００３は、その一端部が上ケース１００２に回転自在に保持されていて、上ケース１００２の上面に形成されている開口部を開閉できるようになっている。このアクセスカバー１００３を開くことによって、本体内部に収納されている記録ヘッドカートリッジ（不図示）やインクタンク（不図示）等の交換が可能となる。なお、ここでは特に図示しないが、アクセスカバー１００３を開閉させたときに、その裏面に形成された突起がカバー開閉レバーを回転させるようになっており、そのレバーの回転位置をマイクロスイッチなどによって検出することにより、アクセスカバー１００３の開閉状態が検出できるようになっている。
【００１８】
上ケース１００２の上面には、電源キー１００５が押下可能に設けられている。１００７は自動給送部であり、記録シートを装置本体内へ自動的に給送する。１００８は、記録ヘッドと記録シートとの対向間隔を調整するための紙間選択レバーである。１０１２は、パーソナルコンピュータ（ＰＣ）を接続するためのＵＳＢバスコネクタである。
【００１９】
図２は、フォトダイレクトプリンタ（以下、「ＰＤプリンタ」ともいう）１０００とデジタルカメラ３０１２との接続状態の説明図である。
【００２０】
図２において、ケーブル５０００には、ＰＤプリンタ１０００のコネクタ１０１２に接続可能なコネクタ５００１と、デジタルカメラ３０１２の接続用コネクタ５００３に接続可能なコネクタ５００２とが備えられている。デジタルカメラ３０１２は、内部のメモリに保存している画像データを接続用コネクタ５００３を介して出力可能である。デジタルカメラ３０１２としては、例えば、内部に記憶手段としてのメモリを備えるものや、メモリを取外し可能に装着するためのスロットを備えるものなど、種々の構成のものを採用することができる。このように、ケーブル５０００を介してＰＤプリンタ１０００とデジタルカメラ３０１２とを接続することにより、デジタルカメラ３０１２からの画像データを直接ＰＤプリンタ１０００に出力して記録することができる。
【００２１】
図３は、デジタルカメラ３０１２の背面図である。図３において９００２はモード切替スイッチであり、このモード切替スイッチ９００２によって、被写体を撮影してメモリーカードに記録する”撮影モード”と、メモリーカードに記録した撮影画像を液晶表示部９００１に表示する”再生モード”とを切り替えることができる。９００１は、画像やメニューなどを表示する液晶表示部、９００５は、被写体の撮影時に押下するシャッターボタン、９００４はファインダである。９００３、９００６は、撮影時の各種設定、および液晶表示部９００１に表示されるメニュー項目の選択等のために用いられる操作ボタンである。
【００２２】
図４はデジタルカメラ（ＤＳＣ）３０１２とＰＤプリンタ１０００とからなる記録システム全体のブロック構成図である。
【００２３】
デジタルカメラ３０１２において、４００３は操作部であり、操作ボタン９００６，９００３、シャッターボタン９００５、およびモード切替スイッチ９００２などを含む。４００４は表示部であり、ファインダ９００４、および液晶表示部９００１を含む。４００５は撮像部であり、レンズやセンサー（不図示）を含む。４００９は、脱着可能なメモリーカードメモリーカードであり、４００１は、ＰＤプリンタ１０００に対して画像データを送信する画像データ送信部である。
【００２４】
ＰＤプリンタ１０００において、４００６は、デジタルカメラ３０１２から画像データを受信する画像データ受信部、４００７は、装置全体の制御を行う制御部である。４００８は、実際に記録を行う記録部、４０１０は、受信した画像データがメンテナンス実行指示画像データ（特定データ）であるか否かを識別するためのデータを保持する画像識別パターン保持部である。
【００２５】
図５は、接続用コネクタ５００３によってＰＤプリンタ１０００に接続されているデジタルカメラ３０１２において、モード切替スイッチ９００２によって”再生モード”が選択された際の動作を説明するためのフローチャートである。
【００２６】
まず、プリンタ１０００に接続されているデジタルカメラ３０１２において”再生モード”が選択されたときには、図６（ａ）のような情報６００１，６００２，６００３が液晶表示部９００１に表示される（ステップＳ５０１）。６００２は、デジタルカメラ３０１２に挿入されているメモリーカード４００９内の先頭の画像データのイメージ情報である。６００１は、液晶表示部９００１に表示されている画像を他の画像と区別するための画像番号情報である。６００３は、ユーザに操作の方法を伝えるための操作ガイド情報である。ユーザが操作部９００３（図３参照）を操作した場合には、次の画像データ（または前の画像データ）のイメージ情報と、それに対応する画像番号情報６００１が液晶表示部９００１に順次表示され（ステップＳ５０３，Ｓ５０２）。
【００２７】
ユーザが操作ボタン９００６を押して、ＰＤプリンタ１０００への画像の転送を指示したときには、ケーブル（通信線）５０００に、画像の記録が可能なＰＤプリンタ１０００が接続されているか否かを確認する（ステップＳ５０４，Ｓ５０５）。画像の記録が可能なＰＤプリンタ１０００が接続されているときは、液晶表示部９００１に表示されている画像データがケーブル５０００を経由してＰＤプリンタ１０００に送信される（ステップＳ５０６）。画像データ送信部４００１と画像データ受信部４００６との間の通信方式は、ＵＳＢ（Universal・Serial・Bus）仕様に準拠するシリアル通信方式とすることができる。
【００２８】
図７は、デジタルカメラ３０１２から画像データを受信したＰＤプリンタ１０００の動作を説明するためのフローチャートである。
【００２９】
デジタルカメラ３０１２が送信した画像データは、ケーブル５０００を介して、ＰＤプリンタ１０００の画像データ受信部４００６にて受信される（ステップＳ７０１）。その受信した画像データに関しては、まず、そのヘッド情報などを調べることにより、それが記録部４００３にて記録可能なデータであるか否かを判定する（ステップＳ７０２）。それが記録部４００３にて記録可能な画像データであるときは、画像識別パターン保持部４０１０に保持されているデータパターン群と、受信した画像データの特定個所のデータパターン群とを一定の法則にしたがって比較する。本実施例ではメンテナンス実行指示画像データの特定位置画素（たとえば先頭の６４画素）に、特定のデータパターンを記録しておき、そのパターンと前記画像識別パターン保持部４０１０に保持されているデータパターンを比較するものとし、それらのデータパターン群が一致する場合には、デジタルカメラ３０１２から受信した画像データが”メンテナンス実行指示画像データ”であると判断し、ステップＳ７０３からステップＳ７０５に進むことによって通常の画像データとは異なる処理を行う。
【００３０】
ここで、前記データの比較方法は本発明の比較方法を限定するものではない。画像データ全部比較する方法でもよいし、画像データの特定バイト目から始まるのデータパターンを比較する方法でも、ＪＰＥＧ（Joint・Photographic・Coding・Experts・Group）等の汎用データフォーマットに準じる付加情報（画像以外の付加情報）に特定のデータパターンを記録しておきそれを比較する方法であってもよい。しかし、いずれの場合も通常の画像データを特定画像データと判断する可能性を十分に小さくできるデータパターン長を設定し、比較を行うものとする。
【００３１】
またここで、”メンテナンス実行指示画像データ”とは、デジタルカメラ３０１２などによって撮影されてメモリーカード４００９に保持されている通常の画像データとは異なり、記録装置に付属するＣＤ−ＲＯＭに記録されていたり、記録装置ベンダーのインターネットのサイトに公開されていたりする特別な画像データ（特定画像データ）である。ユーザは、このような特定画像データをパーソナルコンピュータ（不図示）等で読み出してメモリーカード４００９にコピーしてから、前述したようにデジタルカメラ３０１２から記録装置１０００に送信（図５参照）することによって、その特定画像データに対応付けられた特定処理をＰＤプリンタ１０００に実行させることができる。
【００３２】
本例のＰＤプリンタ１０００は、インクジェット記録ヘッドを用いて画像を記録するインクジェット方式のプリンタ（インクジェット記録装置）であり、下記（ａ），（ｂ）のような２種類の”メンテナンス実行指示画像データ”に応じて、異なるメンテナンス処理を実行することができる。インクジェット記録ヘッドは、ノズルを形成するインク吐出口からインクの吐出が可能であり、インクの吐出方式としては、電気熱変換体（ヒータ）やピエゾ素子などを用いた種々の方式を採用することができる。電気熱変換体を用いた場合には、それが発生する熱エネルギーを利用してインクを発泡させ、その発泡エネルギーによってインクを吐出口から吐出させることができる。
【００３３】
（ａ）記録ヘッドのノズルをクリーニングさせる指示画像データ（ノズルクリーニング実行指示画像データ）。
（ｂ）インクが記録ヘッドのノズルから適切に吐出されているか否かを確認するためのノズルチェックパターンを記録させる指示画像データ。
【００３４】
受信した画像データが（ａ）の”メンテナンス実行指示画像データ（特定画像データ）”である場合、つまりノズルクリーニング実行指示画像データである場合には、その特定画像データのイメージを記録する代わりに、記録ヘッドのノズルのクリーニング処理を実行する（ステップＳ７０５，Ｓ７０６）。このクリーニング処理としては、例えば、画像の記録に寄与しないインクを吐出口から吸引排出または加圧排出させる回復処理、画像の記録に寄与しないインクを吐出口から吐出させる予備吐出処理、吐出口が形成されている記録ヘッドの吐出口形成面をワイピングする処理などを含めることができる。
【００３５】
また、受信した画像データが（ｂ）の”メンテナンス実行指示画像（特定画像データ）”である場合には、記録ヘッドの吐出口からのインクの吐出状態をチェックするためのチェックパターンを記録する（ステップＳ７０７，Ｓ７０８）。本例のＰＤプリンタ１０００はいわゆるシリアルスキャンタイプの記録装置であり、記録ヘッドのインクの吐出タイミングを様々に変更しつつ、吐出タイミング調整用のチェックパターンを記録することにより、インクの吐出状態に応じた記録条件の設定が可能となる。シリアルスキャンタイプのＰＤプリンタ１０００は、記録ヘッドを搭載して主走査方向に往復移動可能なキャリッジを備えていて、記録ヘッドを主走査方向に移動させつつ記録ヘッドの吐出口からインクを吐出させる動作と、主走査方向と交差する副走査方向に記録シートを搬送させる搬送動作と、を交互に繰り返すことによって記録シート上に画像を形成する。チェックパターンの記録に際しては、主走査方向の移動中における記録ヘッドからのインクの吐出タイミングを様々に変更する。その記録結果から、最も良好に画像が記録されるときの吐出タイミングを選定して、それを記録装置に設定することにより、記録ヘッドのインクの吐出状態に適した記録条件を設定することができる。
【００３６】
一方、受信した画像データが”メンテナンス実行指示画像データ”ではない通常の画像データの場合には、その画像データに対して必要な画像処理を行い、その画像データが表すイメージを記録部４００８によって用紙に記録する（ステップＳ７０３，Ｓ７０４）。
【００３７】
図６（ａ）は、デジタルカメラ３０１２において”再生モード”が選択されたときの通常画像の表示例の説明図であり、図６（ｂ）は、画像データが”メンテナンス実行指示画像データ”であるときの表示例の説明図である。
【００３８】
これらの図６（ａ），図６（ｂ）において、６００２および６００４はメモリーカード内の画像情報、６００１は現在表示されている画像の画像番号、６００３はユーザに操作を説明するガイド情報である。画像情報６００２は、前述したように、通常の画像データが選択されたときに液晶表示部９００１に表示される情報であり、その画像データが表現するイメージである。図６（ａ）状態において、ユーザが操作ボタン９００６（図３参照）を押すことにより、その通常の画像データがプリンタ１０００に転送され、その画像データがプリンタ１０００によって用紙に記録される。図６（ｂ）中の画像情報６００４は、”メンテナンス実行指示画像データ”が選択されたときに液晶表示部９００１に表示される情報であり、その特定画像データが表現するイメージである。この図６（ｂ）状態において、ユーザが操作ボタン９００６を押すことにより、その特定画像データがプリンタ１０００に転送され、前述したように、その特定画像データに対応する特定処理をプリンタ１０００が実行する。
【００３９】
ここで、”メンテナンス実行指示画像データ”のデータ形式は、通常の画像データと同様であり、ＪＰＥＧ（Joint・Photographic・Coding・Experts・Group）、ＴＩＦＦ（Tagged・Image・File・Format）、またはＢＭＰ（Basic・Multilingual・Plane）方式等の汎用フォーマットに準拠した画像データである。そのためデジタルカメラ３０１２は、特定画像データとしての”メンテナンス指実行示画像データ”を通常の画像データと区別することなく、それを通常の画像データとして液晶表示部９００１に表示することが可能である。特定画像データとしての”メンテナンス実行指示画像データ”は、図６（ｂ）のように、その特定画像データを受信した特定のプリンタ１０００がどのような特定処理を行うかを文字や絵によって表現する。そのためユーザは、その表示内容をデジタルカメラ３０１２にて視覚的に確認した上、適切な特定処理を簡単に選択して、それをプリンタ１０００に実行させることできる。
【００４０】
このように、本例のダイレクト記録システムにおいては、デジタルカメラおよびプリンタのどちらにも、記録処理以外の特定処理を選択して実行させるためのユーザインターフェイスを付加することなく、デジタルカメラからの簡単な操作によって、適切な特定処理をプリンタに実行させることができる。
【００４１】
（第２の実施形態）
本例のダイレクト記録システムは、上述した例と同様に、デジタルカメラとプリンタとから成る。ただし、本例におけるプリンタは、上述した例のプリンタとは異なり、どのような用紙にどのようなレイアウトで記録を行うかの記録条件の設定を指示するための”記録設定指示画像データ（特定画像データ）”を識別することが可能である。つまり本例のプリンタは、デジタルカメラから受信した画像データが”記録設定指示画像データ”であるか通常の画面データであるかを判断して、処理内容を変更する。
【００４２】
図８は、本例のプリンタがデジタルカメラから画像データを受信した際の動作を説明するためのフローチャートである。
【００４３】
本例のプリンタは、前述した例のプリンタ１０００と同様に、デジタルカメラ３０１２からケーブル５０００を介して送信された画像データを画像データ受信部４００６にて受信する（ステップＳ８０１）。そして、その画像データのヘッド情報等を調べることによって、受信した画像データが記録部４００８にて記録可能であるか否かを確認する（ステップＳ８０２）。その画像データが記録部４００８にて記録可能であると判断した場合には、画像識別パターン保持部４０１０に保持されているデータパターン群と、受信した画像データの特定個所のデータパターン群とを一定の法則で比較する。それらが一致する場合には、受信した画像データが”記録設定指示画像データ”であると判断し、通常の画像データとは異なる処理を行うためにステップＳ８０３からステップＳ８０５に進む。
【００４４】
本例のプリンタは、下記（ａ），（ｂ）のような２種類の”記録設定指示画像データ（特定画像データ）”に応じて、異なる特定処理を実行することができる。
【００４５】
（ａ）用紙（記録シート）のサイズや種類を設定する用紙設定画像データ。
（ｂ）紙面（記録シートの記録面）のどの位置の画像を配置して記録するかを設定する記録レイアウト指示画像データ。
【００４６】
プリンタは、このような２種類の”記録設定指示画像データ”を識別することが可能である。デジタルカメラ３０１２から受信した画像データが（ａ）の”記録設定指示画像データ”である場合には、その画像データの所定の個所に含まれるパラメータにしたがって、用紙（記録シート）のサイズおよび種類を変更し、その内容を保持する（ステップＳ８０５、Ｓ８０６）。その保持内容に基づいて、用紙のサイズや種類に応じた最適な記録条件を設定することができる。また、受信した画像データが（ｂ）の”記録レイアウト指示画像データ”である場合には、その画像データの所定の位置に含まれるパラメータにしたがって、用紙に対する画像の配置などのレイアウトを変更し、その内容を保持する（ステップＳ７０７、Ｓ７０８）。その保持内容に基づいて、記録条件としてのレイアウトを設定することができる。
【００４７】
一方、デジタルカメラ３０１２から受信した画像データが”記録設定指示画像データ”でない通常の画像データの場合には、その画像データが表現するイメージを記録部４００８によって用紙に記録する。その際には、”記録設定指示画像データ”によって設定された用紙のサイズや種類、および用紙上における画像のレイアウトにしたがって記録を実施する。つまり、”記録設定指示画像データ”に基づいて設定した記録条件下において、プリンタが画像を記録する。
【００４８】
よって、ユーザは、通常の画像データをデジタルカメラからプリンタに送信する前に、”記録設定指示画像データ”を送信することにより、所望する記録条件下において画像を記録することができる。
【００４９】
このように、本例のダイレクト記録システムにおいては、デジタルカメラおよびプリンタのどちらにも、記録条件を選択するためのユーザインターフェイスを付加することなく、デジタルカメラからの簡単な操作によって、適切な記録条件の設定処理を記録装置に実行させることができる。
【００５０】
（第３の実施形態）
本例のダイレクト記録システムは、デジタルカメラとプリンタからなる第１および第２の実施形態とは異なり、携帯電話とプリンタとからなる。携帯電話は、画像の表示機能と、表示している画像を赤外線通信により送信する機能とを有し、プリンタは、携帯電話が赤外線通信によって送信した画像データを受信可能である。
【００５１】
図９は、本例のダイレクト記録システムの構成の説明図である。１０００は、携帯電話１０１４からの画像データを赤外線通信部１０１３によって受信可能なプリンタである。携帯電話１０１４は、赤外線通信部１０１５と、内蔵メモリ（不図示）または装着可能なメモリーカード（不図示）に保持されている画像データを表示可能な液晶画像表示部１０１６と、電波を送受信して通話およびデータ通信を可能とする通話部（不図示）を有する。また、本例では、前述した第１および第２の実施形態とは異なり、画像データの通信は、ケーブル５００ではなく赤外線によって行われる。つまり、第１の実施形態における”メンテナンス実行指示画像データ”または、第２の実施形態における”記録設定指示画像データ”等、特殊な処理をプリンタに指示するための特定画像データは、赤外線によって携帯電話１０１４からプリンタ１０００に送信することができる。また、そのような特殊な処理をプリンタに指示するための特定画像データは、携帯電話１０１４の通話部（不図示）によって、携帯情報サイトから取得することが可能である。
【００５２】
（他の実施形態）
画像データの供給装置としては、デジタルカメラや携帯電話などの種々の携帯用機器を用いることができ、本発明は、このような種々の携帯用機器から記録装置に直接画像データを供給して記録を行うフォトダイレクト記録システムに広く適用することができる。また画像データの供給装置として、ＰＣ（パーソナルコンピュータ）を用いてもよい。要は、記録装置に対して、特定の処理を実行させるための特定画像データを供給することができればよい。
【００５３】
また記録装置としては、種々の記録方式のものを採用することができ、何ら、シリアルスキャンタイプのインクジェット記録装置に限定されない。また記録装置が実行する特定処理は、記録装置の記録性能を維持するためのメンテナンス処理、および記録装置の記録条件を設定するための記録条件設定処理のみに特定されず、記録動作に直接関連しない処理をも含めることができる。
【図面の簡単な説明】
【００５４】
【図１】本発明の第１の実施形態における記録装置の概観斜視図である。
【図２】本発明の第１の実施形態における画像記録システムの全体図である。
【図３】図２におけるデジタルカメラの概観図である。
【図４】図２における記録装置とデジタルカメラのブロック構成図である。
【図５】図２におけるデジタルカメラの動作を説明するためのフローチャートである。
【図６】（ａ）および（ｂ）は、図２におけるデジタルカメラの異なる表示例の説明図である。
【図７】図２における記録装置の動作を説明するためのフローチャートである。
【図８】本発明の第２の実施形態における記録装置の動作を説明するためのフローチャートである。
【図９】本発明の第３の実施形態における画像記録システムの全体図である。
【符号の説明】
【００５５】
１０００    記録装置
３０１２    デジタルカメラ（画像データ供給装置）
１０１４    携帯電話（画像データ供給装置）
４００１    画像データ送信部
４００２    制御部
４００４    表示部
４００６    画像データ受信部
４００７    制御部
５００８    記録部
【図１】
2005313571.tif 000003
【図２】
2005313571.tif 000004
【図３】
2005313571.tif 000005
【図４】
2005313571.tif 000006
【図５】
2005313571.tif 000007
【図６】
2005313571.tif 000008
【図７】
2005313571.tif 000009
【図８】
2005313571.tif 000010
【図９】
2005313571.tif 000011